(57)【要約】      （修正有）【課題】段ボールシートを用いることで吸音の働きを付加させ、幼児たちが遊んでいる居室での散乱音を低減する幼児遊戯室設備品を提供する。【解決手段】ライナー紙６に小孔８が開口された段ボールシート５を複数枚積層し、小孔を通ってライナー紙間の小空間それぞれに入った入射音を中芯紙の振動で減衰させる芯体４と、幼児などの人を発生源とする声の居室散乱音であって遊具外表面に達した入射音を遊具内部に伝搬可能とした表皮２と、芯体と表皮との間に位置して表皮から伝搬した入射音を芯体に向けて伝搬可能とした衝撃吸収体３とから、幼児遊戯室設備品１を形成した。【選択図】図２
0003186911.tif 000002
【実用新案登録請求の範囲】
【請求項１】
幼児遊戯室の設備品であって少なくとも芯体とこれを覆う表皮とからなり、
前記芯体は、開孔を有し表裏のライナー紙の間に中芯紙を配して多数の小空間が形成されている段ボールシートを複数枚積層した積層物であり、前記開孔を通して段ボールシートの前記小空間それぞれに入った幼児などの人声の周波数帯の音が前記中芯紙を振動させて減衰する吸音作用を備え、
前記表皮は、設備品表面に達した前記音を前記芯体側に伝搬可能にしたものである
ことを特徴とする幼児遊戯室用設備品。
【請求項２】
上記芯体と上記表皮との間に、前記表皮から伝搬した上記音を前記芯体に向けて伝搬可能とした衝撃吸収体が設けられている請求項１に記載の幼児遊戯室用設備品。
【請求項３】
外観形状が、ブロック状または板状とされている請求項１または２に記載の幼児遊戯室用設備品。
【請求項４】
外観形状が、家具や動物、機械などの具象物形状を象った形状とされている請求項１または２に記載の幼児遊戯室用設備品。
【考案の詳細な説明】
【技術分野】
【０００１】
本考案は幼稚園や保育所などでの遊戯室で利用できる設備品に関するものである。
【背景技術】
【０００２】
幼稚園や保育所の遊戯室のような多数の幼児が遊びながら社会生活を学習する目的などで利用される遊戯室には、幼児が自分たちで単体で、また並べ合わせて遊ぶブロック遊具や、遊びのスペースを仮囲いする目的で設置して幼児の上り下りが容易な背の低いブロック遊具が用意されている。そして、それらのブロック遊具は、例えばウレタン素材を遊具芯体としこれをウレタンレザーなどの表皮で覆った構造であり、幼児が飛び乗ったりぶつかったりしても表面が沈んで衝撃を吸収し、幼児に怪我を負わせないクッション性を備えた構成とし、直方体や上面形状を階段状、波状としたり、スロープとして利用できる傾斜面とした形状のブロック遊具も提供されるようになってきた。
【０００３】
ところで、昨今の遊戯室を有する施設は鉄筋コンクリート造で構築された建物であることが一般的であり、その遊戯空間も基本的には剛の壁や床で囲んで形成された空間である。そのため、遊戯室で幼児たちが遊びだすと、幼児たちが個々に発する声がその室内で響き易く、その場で学習や遊びを指導、監督している幼稚園教諭や保育士などの大人同士が互いの声を聞き取り難くなることが知られている。
【０００４】
対策の一つとしては、部屋の壁面や天井面に吸音板を貼り付けてその壁面や天井面での声の反射を抑えるようにすることが考えられるが、既設の施設にとってはこのような壁面や天井面への吸音板を取り付けようとすると工事費用の負担が大きくなってしまう。また施設内での各種の催しのために壁面や天井面に飾り付けを取り付けたり、幼児たちが描いた絵などを壁面に止め付けたりする場合も多く、壁面や天井面での吸音効果を低下させてしまうこともあり、その飾りや絵などの取付に利用する吊り具、留め具、接着テープなどを吸音板に繰り返して取り付けたり取り外したりしてしまうと、吸音板を張った面を傷めたりすることもある。
【０００５】
上記吸音板と同様の目的として利用されるものに防音用の部材がある。そして安価な構成としたものとしては、例えば特許文献１、２に示されているように複数枚の段ボールシートを重ねた建材が提案されていて、この建材にあっては、外部からの音がライナー紙に開口された透孔を通り、中芯紙で仕切られた小空間に入り込むことで減衰して防音を行なうものであった。
【先行技術文献】
【特許文献】
【０００６】
【特許文献１】実開昭５１−１６１７０８号公報
【特許文献２】実開昭５２−１０５３１１号公報
【考案の概要】
【考案が解決しようとする課題】
【０００７】
上記防音用として段ボールシートの利用は、これを壁材や天井材などの建材材料とすることで軽量化や低価格化にメリットがある。しかしながら、遊ぶ幼児たちは発する声を吸音して居室内の散乱音を少なくする目的で、このような段ボールシートを素材とする建材をその居室の天井面や壁面に用いることは、上述したように簡易な吊り具、留め具、接着テープなどを使用することは耐久性の点から採用することができない。その結果、遊戯室で幼児たちが発する声からなる音を抑えることができていないのが現状である。
【０００８】
本考案者は、遊戯室で幼児たちが遊びの用具として用いるブロック遊具は比較的容積の大きな物体であり、遊んでいるときには幼児たちに特に近い位置に存在するものとなるので、このブロック遊具にて幼児たちの発する声などからなる居室の散乱音を吸音させることを検討した。
【０００９】
そこで本考案はブロック遊具を含む遊戯室設備品について上記段ボールシートを用いることで吸音の働きを付加させることを課題とし、幼児たちの声による乱雑さをその設備品の設置という簡便な方法で低減することを目的とするものである。
【課題を解決するための手段】
【００１０】
（請求項１の考案）
本考案は上記課題を考慮してなされたもので、幼児遊戯室の設備品であって少なくとも芯体とこれを覆う表皮とからなり、
前記芯体は、開孔を有し表裏のライナー紙の間に中芯紙を配して多数の小空間が形成されている段ボールシートを複数枚積層した積層物であり、前記開孔を通して段ボールシートの前記小空間それぞれに入った幼児などの人声の周波数帯の音が前記中芯紙を振動させて減衰する吸音作用を備え、
前記表皮は、設備品表面に達した前記音を前記芯体側に伝搬可能にしたものである
ことを特徴とする幼児遊戯室用設備品を提供して上記課題を解消するものである。
【００１１】
（請求項２の考案）
そして、本考案において、上記芯体と上記表皮との間に、前記表皮から伝搬した上記音を前記芯体に向けて伝搬可能とした衝撃吸収体が設けられていることが良好である。
【００１２】
（請求項３の考案）
また、本考案において、外観形状が、ブロック状または板状とされていることが良好である。
【００１３】
（請求項４の考案）
また、本考案において、外観形状が、家具や動物、機械などの具象物形状を象った形状とされていることが良好である。
【考案の効果】
【００１４】
本考案によれば、幼児たちが発した声などの室内の散乱音が遊具内に入射され、その入射音が小空間に入れば、その小空間での壁材（紙）が振動するようになって入射音が減衰するようになる。そのため、遊戯室の壁面や天井面に防音材や吸音材などを取り付けることなしに、遊ぶ幼児たちの身近にある設備品により散乱音の低減が図れるという優れた効果を奏するものである。
【図面の簡単な説明】
【００１５】
【図１】本考案に係る幼児遊戯室用設備品の例であってブロック遊具の形態とした一例を示す説明図である。
【図２】一例の縦断面を示す説明図である。
【図３】一例における芯体を示す説明図である。
【図４】芯体を構成する段ボールシートの積層を断面で示す説明図である。
【図５】他の例を示す説明図である。
【図６】同じく他の例を示す説明図である。
【図７】同じく他の例を示す説明図である。
【図８】ブロック遊具形態とした一例を複数並べた使用例を示す説明図である。
【図９】棚形状とした例を示す説明図である。
【考案を実施するための形態】
【００１６】
つぎに本考案を図１から図９に示す実施の形態に基づいて詳細に説明する。
図中１は一例として形態をブロック遊具とした幼児遊戯室用設備品で、該設備品１は上面部１ａを波形の面にして上部から下部にかけて下り傾斜させているとともに、上面部１ａの両側辺には設備品高さ方向に立つ面の側面部１ｂが連続し、同様に上面部１ａの上端辺にも設備品高さ方向に立つ面であるもう一つの側面部１ｂが連続して、さらに上面部１ａの下端辺にも設備品高さ方向に背を低くして立つ面とされた側面部１ｂが連続して、周囲四方を連続する四面の側面部１ｂで構成し、下部も該設備品を安定して定置できるように平らな面とされた底面部１ｃが上面部１ａ及び前記四面の側面部１ｂの下端辺に連続しており、六面を有する立体物として形成されているものである。
【００１７】
上述した幼児遊戯室設備品１での一例は従来から存在するブロック遊具と同じように、幼児たちが単体で波形の傾斜面である上面部１ａを上がり下りして、また後述するように形状の相違する他の幼児遊戯室設備品１（ブロック遊具）と並べ設けて上がり下りができるものであって、そのような幼児たちの上がり下りに際して形状が大きく崩れない保形性を備えているとともに、幼児たちの手や足がぶつかったとして怪我を負わせない柔らかさを備えている。
【００１８】
また、幼児遊戯室設備品１は、主に幼児たちが発する音声であって居室内で散乱する音、即ち、幼児などの人声の周波数帯の音を吸音し、居室内で幼児たちの声が響く度合いを抑える機能を有するものである。前記機能を奏するために構成されているこの幼児遊戯室設備品１の構造は、図示した断面で示されているように表皮２とこの表皮２の内面側に位置する衝撃吸収体３とこの衝撃吸収体４に包まれている芯体４とからなるものである。
【００１９】
上記表皮２は上記六面（上面部１ａ、側面部１ｂ、底面部１ｃ）それぞれの面形状を得るために裁断されたシート材を縫い合わせて形成されており、表皮２自体の素材としては柔軟性があるとともに、幼児たちの声の周波数帯の音が入射音として表皮２に達したときに、その入射音を極力反射させずに設備品１内に伝搬させる素材が選択されている。
【００２０】
衝撃吸収体３は幼児がブロック遊具形態のこの幼児遊戯室設備品１の上面部１ａに飛び乗ったり側面部１ｂなどに手足をぶつけたりした際の衝撃を和らげるものであり、上記表皮２と芯体４との間に位置して表皮２の内面全面に相対するようにして配置されている。また芯体４の外表面全体にもこの衝撃吸収体３が接するようにしてこの芯体４を包み込んでいる。
【００２１】
そして衝撃吸収体３は表皮２を通った上記入射音を反射して外方に戻すものではなく、芯体４に向けて伝搬させることができる素材が選択されている。一例を挙げれば、従来のブロック遊具のクッション材として用いられている連続気泡構造のウレタンフォームが利用できる。
【００２２】
なお、衝撃吸収体３としてウレタンフォームを採用した場合、フォームの気泡に入った入射音（上記幼児が発する声に応じる周波数帯の音）は気泡壁を振動させてその入射音を減衰させる効果がある。しかし、衝撃収集体３は、幼児遊戯室設備品１の上に幼児が乗ったときに、この設備品１の形状が大きく崩れないように保形性を備えておく必要がある。即ち、幼児遊戯室設備品１の大きな変形によって幼児が姿勢を崩すことのないようにする。そのため、衝撃吸収体３の厚さや硬さの設定に関しては、クッション性や保形性を第一のポイントとして考慮し、表皮２側からの前記入射音を芯体４側に向けて伝搬させることができるものであればよい。
【００２３】
上記芯体４の主たる機能は幼児遊戯室設備品１を保形することであり、そのため、芯体４は幼児遊戯室設備品１の外観形状にほぼ相似する形状である。そして、本幼児遊戯室設備品１での芯体４は上記衝撃吸収体３を通して伝搬してきた上記入射音を吸音して減衰させる機能も有するものである。
【００２４】
芯体４は段ボールシート５を複数枚貼り合わせて積層したものであり、それぞれの段ボールシート５が設備品高さ方向に立つ向きにして積層していて、図４の拡大断面で示すように前記段ボールシート５それぞれは表裏のライナー紙６で中芯紙７を挟み込んだものであり、段ボールシート５それぞれの基本的な構成は従来の段ボールシートと同じである。
【００２５】
この芯材４の段ボールシート５にあっては、図４に示すように表裏のライナー紙６それぞれに小孔７が開口されている。そのため、上記衝撃吸収体３側から伝搬してきて芯体４に達した入射音が小孔7を通り、段ボールシート５の中芯紙７で仕切られてなる多数の小空間9に入射されれば、その小空間９での中芯紙７からなる壁材１０が振動して入射音が減衰するようになる。このように幼児たちの遊びの対象となっている本幼児遊戯室設備品１の内部に散乱音が入ることでその散乱音が減衰するので、遊戯室などでの居室内の散乱音を本幼児遊戯室設備品１で抑制できる。
【００２６】
上記実施の形態で示した幼児遊戯室設備品１は上面部１ｂの形状が波形とされているが、本考案はブロック遊具とした場合これに限定されるものではない。他の形状を呈する幼児遊戯室設備品１を図５、図６、図７に示していて、このように直方体状としたもの（図５）、上面部１ｂを階段形状に傾斜させたもの（図６）、上面部１ｂをスロープとして傾斜させたもの（図７）のように各種の形状とすることができる。さらに、図８に示すように形状の異なるブロック遊具形態の幼児遊戯室設備品１を並べ設けて使用することも制限されるものではない。
【００２７】
幼児遊戯室設備品において、ブロック遊具の形態とした例の芯体での開孔を段ボールシートの表裏のライナー紙に設けた小孔としたが、これに限定されるものではなく、芯体の厚さ方向（段ボールシートの厚さ方向）に通る貫通孔であってもよいものである。また、上記実施の例では遊具としてブロック形態を呈する設備品を例示したが、遊戯室での遊戯スペースを簡易的に間仕切りする利用目的に合致し、教師や保育士が監視し易い高さに設定されて安定的に自立できるブロック状や板状とした形態であってもよい。
【００２８】
さらには形態が抽象形状である必要はなく、家具や動物、機械などの具象物形状を象った形状とすることも可能であり、図９に棚家具の形態を呈する幼児遊戯室用設備品１を示した。この図９に示すように棚板、側板、奥板それぞれが上述した芯材を上述の表皮で覆ってなる家具構成部とし、これらが集合して棚形状の幼児遊戯室用設備品１を形成するようにしてもよい。なお、この棚形状を呈する幼児遊戯室用設備品の場合には上記衝撃吸収体は必要としない。
【符号の説明】
【００２９】
１…幼児遊戯室設備品
２…表皮
３…衝撃吸収体
４…芯体
５…段ボールシート
６…ライナー紙
７…中芯紙
８…小孔
９…小空間
【図１】
0003186911.tif 000003
【図２】
0003186911.tif 000004
【図３】
0003186911.tif 000005
【図４】
0003186911.tif 000006
【図５】
0003186911.tif 000007
【図６】
0003186911.tif 000008
【図７】
0003186911.tif 000009
【図８】
0003186911.tif 000010
【図９】
0003186911.tif 000011